(57)【要約】【課題】  段別に組立可能な組立式の空気調和機の室外機用設置台において、コーナブラケットにおける支柱の組立作業を容易化するとともに、組立状態における結合強度を向上させる。【解決手段】  室外機を載置するための水平部材１と、水平部材１を支持するための支柱２と、水平部材１と支柱２とを連結して構造体を形成するための下段側のコーナブラケット３及び上段側のコーナブラケット４とを備え、支柱２は、コーナブラケット３、４の上面側又は／及び下面側に設けられた凹部３１、４１内に先端部を挿入することにより結合される空気調和機の室外機用設置台において、支柱２が凹部３１、４１に挿入されたときに、支柱２の外表面と凹部３１、４１の内面との間隙に、筒状壁部５１を有する樹脂製スペーサ５を設けて、この間隙を埋める。【選択図】      図２
2006118771.tif 000002
【特許請求の範囲】
【請求項１】
室外機を載置するための水平部材と、水平部材を支持するための支柱と、水平部材と支柱とを連結して構造体を形成するためのコーナブラケットとを備え、前記支柱は、コーナブラケットの上面側又は／及び下面側に設けられた凹部内に該支柱の先端部を挿入することにより結合されてなる空気調和機の室外機用設置台において、支柱の先端部が凹部に挿入されたときに支柱の外表面と凹部の内面との間隙を埋める筒状壁部を有する樹脂製スペーサを備えていることを特徴とする空気調和機の室外機用設置台。
【請求項２】
前記スペーサは、支柱の先端部がスペーサの底面から突出しないようにするための規制壁を底部に備えていることを特徴とする請求項１記載の空気調和機の室外機用設置台。
【請求項３】
前記コーナブラケットの凹部は、支柱の水平断面における外形形状に対応する水平断面形状の内面を有するとともに、この水平断面形状を開放端側に向かって拡大するように内面がテーパ状に形成され、前記スペーサは、筒状壁部の肉厚を底部から開放端側に向かうにつれ厚くしたことを特徴とする請求項１又は２記載の空気調和機の室外機用設置台。
【請求項４】
前記スペーサの筒状壁部の開放端側の肉厚は、凹部開放端側における凹部の内面と支柱の外表面との間隙より大きく形成されていることを特徴とする請求項３記載の空気調和機の室外機用設置台。
【請求項５】
前記スペーサは前記筒状壁部の開放端側から底部に向かう複数のスリットを有していることを特徴とする請求項１〜４の何れか１項に記載の空気調和機の室外機用設置台。
【請求項６】
前記スリットは、前記筒状壁部の高さの半分以上の長さを有することを特徴とする請求項５に記載の空気調和機の室外機用設置台。
【請求項７】
前記コーナブラケットは、鋳物製とされ、前記凹部の内面のテーパは鋳物製造に必要な鋳型抜き勾配を兼用することを特徴とする請求項１〜６の何れか１項に記載の空気調和機の室外機用設置台。
【発明の詳細な説明】
【技術分野】
【０００１】
本発明は、組立式の空気調和機の室外機用設置台に関し、特に組立式の空気調和機の室外機用設置台における支柱の組立構造に関する。
【背景技術】
【０００２】
セパレート型空気調和機は、室外機を屋外に設置しなければならないが、屋外の状況により室外機用設置台を用いて複数段に室外機を設置しなければならない場合がある。また、室外機用設置台としては、下段側（１段目の）の室外機の載置が容易であることから、近年、例えば特許文献１に記載されているような、下段側から段別に順次組み立てる段別に組立可能な室外機用設置台が用いられるようになってきている。
【０００３】
ここで、上述の従来の段別に組立可能な組立式の室外機用設置台を図１６〜図２１により説明する。この組立式の室外機用設置台の全体構成は、図１６に示すように、空気調和機の室外機を載置するための水平部材１０１と、水平部材１０１を支持するための支柱１０２と、水平部材１０１及び支柱１０２を連結するためのコーナブラケット１０３を備えたものである。支柱１０２は、水平断面が略１／４円形状の水平断面の筒状体で、４本用いられて各コーナに立設されている。コーナブラケット１０３は、プラスチック製又はアルミ製であって、支柱の上下端部と結合するように上下段に設けられている。上段のコーナブラケット１０３と下段のコーナブラケット１０３とは同一のものであって、各コーナブラケット１０３の上面側又は下面側に支柱１０２の端部を挿入するための略１／４円形状の水平断面の凹部１３１を有している。具体的には、下段のコーナブラケット１０３においては、下面側凹部１３１に高さ調整を可能とした脚部１０４が取り付けられ、上面側の凹部１３１に支柱１０２の下端部が挿入されている。また、上段のコーナブラケット１０３においては、下面側の凹部１３１に支柱１０２の上端部が挿入され、上面側の凹部１３１は、図１６〜図２１に示す２段積みの場合、開放されたままとされている。なお、この設置台を３段積みとする場合には、上段のコーナブラケット３の上面側凹部１３１に支柱を嵌め込み、この支柱の上部に２段目の水平部材と同様に３段目の水平部材を取り付けるようにしている。
【０００４】
水平部材１０１は、上段側のものも下段側のものも同一であって、コーナブラケット１０３の側面側に結合される長辺水平材１１１及び短辺水平材１１２を備えている。これら長辺水平材及１１１及び短辺水平材１１２は、アルミ製であって断面Ｌ字状に形成され、コーナブラケット１０３の側面側に連結されている。また、水平部材１０１は、対向する長辺水平材１１１間に取付材１１３が橋架されている。取付材１１３は断面コの字状の開放両端部を互いに対向するように折り曲げた断面Ｃ字状に形成され、この開放両端部が対向する隙間をレール１１４としている。このレール１１４には、一端がレール面側に係合し、他端側に室外機１５０を固定するためのボルト部を有する固定部材１１５が取り付けられている。なお、固定部材１１５は、このレール１１４上をスライドさせることにより、室外機１５０の底面に形成された取付部の間隔と同一となるように調整される。
【０００５】
上記構成の設置台に室外機１５０を設置する場合は、下段のコーナブラケット１０３の下面側に脚部１０４を取り付け、次いで、コーナブラケット１０３の側面側に長辺水平材１１１及び短辺水平材１１２を結合し、さらに、長辺水平材１１１間に取付材１１３を橋架する。このようにすると、図１７のように下段側の水平部材１０１が下段側のコーナブラケット１０３に対して取り付けられた状態となる。ここで、下段側の空気調和機の室外機１５０を取付材１１３上に載置して固定する（図１８の状態）。この下段側の室外機１５０の取付作業は支柱１０２が立設される前に行われるので、作業性が良いという利点がある。
【０００６】
次ぎに、下段のコーナブラケット１０３の上面側凹部１３１に支柱１０２の下端を差し込んで、４本の支柱１０２を立設する（図１９の状態）。そして、支柱１０２の上端部を上段側コーナブラケット１０３の下面側凹部１３１に差し込んで上段側コーナブラケット１０３を取り付ける。さらに、この上段側コーナブラケット１０３に対し、前記下段側の水平部材１０１と同様に、上段側の水平部材１０１を取り付ける（図２０の状態）。そして、上段側の水平部材１０１上に室外機１５０を載置して固定している（図２１の状態）。
【特許文献１】特開２００４−１７６９９７号公報
【発明の開示】
【発明が解決しようとする課題】
【０００７】
しかしながら、上述の従来の空気調和機の室外機用設置台では、コーナブラケット１０３の上下面に形成された凹部１３１に対し、支柱１０２の端部がそのまま挿入されて、金属等の硬い部品同士が接触する構造となっていた。このため、支柱１０２の端部を凹部１３１に対し挿入容易な大きさとすると支柱１０２の固定が不安定となり、組立途中に支柱１０２がコーナブラケット１０３から外れることがあり組立作業に手間取るという問題があった。また、組立状態においても、支柱１０２を凹部１３１に挿入しただけでは支柱１０２とコーナブラケット１０３との結合強度が弱いという問題があった。
【０００８】
本発明は、このような背景に基づきなされたものであって、その目的は、段別に組立可能な組立式の空気調和機の室外機用設置台において、コーナブラケットにおける支柱の組立作業を容易化するとともに、組立状態における結合強度を向上させることにある。
【課題を解決するための手段】
【０００９】
本発明に係る空気調和機の室外機用設置台は、上記課題を解決するためになされたものであって、第１の発明は、室外機を載置するための水平部材と、水平部材を支持するための支柱と、水平部材と支柱とを連結して構造体を形成するためのコーナブラケットとを備え、前記支柱は、コーナブラケットの上面側又は／及び下面側に設けられた凹部内に該支柱の先端部を挿入することにより結合されてなる空気調和機の室外機用設置台において、支柱が凹部に挿入されたときに支柱の外表面と凹部の内面との間隙を埋める筒状壁部を有する樹脂製スペーサを備えていることを特徴とする。
【００１０】
また、第２の発明は、第１の発明において、前記スペーサは、支柱の先端部がスペーサの底面から突出しないようにするための規制壁を底部に備えていることを特徴とする。
また、第３の発明は、第１又は第２の発明において、前記コーナブラケットの凹部は、支柱の水平断面における外周形状に対応する水平断面形状の内面を有するとともに、開放端側に向かうにつれ水平断面積が大きくなるように内面がテーパ状に形成され、前記スペーサは、筒状壁部の肉厚を底部から開放端側に向かうにつれ厚くしたことを特徴とする。
【００１１】
また、第４の発明は、第３の発明において、前記スペーサの筒状壁部の開放端側の肉厚は、凹部開放端側における凹部の内面と支柱の外表面との間隙より大きく形成されていることを特徴とする。
【００１２】
また、第５の発明は、第１〜第４の何れか１項の発明において、前記スペーサは前記筒状壁部の開放端側から底部に向かう複数のスリットを有していることを特徴とする。
また、第６の発明は、第５の発明において、前記スリットは、前記筒状壁部の高さの半分以上の長さを有することを特徴とする。
【００１３】
また、第７の発明は、第１〜第６の何れか１項の発明において、前記コーナブラケットは、鋳物製とされ、前記凹部の内面のテーパは鋳物製造に必要な鋳型抜き勾配を兼用することを特徴とする。
【発明の効果】
【００１４】
第１の発明に係る空気調和機の室外機用設置台によれば、支柱の先端部がコーナブラケットの凹部に挿入されたときに、樹脂製スペーサにより支柱の外表面と凹部の内面との間隙が埋められるので、従来の金属等の硬い部品同士の接触の場合よりも挿入が容易である。また、スペーサを介した支柱と凹部との嵌合による摩擦力が大きくなり、支柱とコーナブラケットとの結合強度を大きくすることができる。
【００１５】
また、第２の発明によれば、第１の発明の効果に加え次の効果を奏することができる。前記スペーサは、支柱の先端部がスペーサの底面から突出しないようにするための規制壁を底部に備えているので、支柱の先端にスペーサを装着した状態で支柱の先端部をコーナブラケットの凹部に挿入することができ、支柱とコーナブラケットとの結合作業が極めて容易になる。すなわち、コーナブラケットの凹部内にスペーサを置いた状態で支柱を凹部に挿入しようとすると、支柱外周とスペーサ内周との隙間がなく挿入が困難となる、また、支柱の先端部にスペーサを装着した状態で凹部内に支柱の先端部を挿入する場合において、上記のような規制壁が無い場合は、スペーサが支柱の中央部側にスライドして支柱と凹部の内面との間隙に都合よく収まらないという問題が生ずる。これに対し、上記のようにスペーサの底壁に規制壁を設けておくと、スペーサが支柱の中央側にスライドする恐れが無くなるので、支柱の先端部にスペーサを装着した状態でスムースに凹部内に支柱の先端部を挿入し、固定することができる。
【００１６】
また、第３の発明によれば、第１又は第２の発明の効果に加え、次の効果を奏することができる。前記コーナブラケットの凹部は、支柱の水平断面における外形形状に対応する水平断面形状の内面を有するとともに、この水平断面形状を開放端側に向かって拡大するように内面がテーパ状に形成されているので、支柱の先端部を凹部に挿入する際、支柱の先端部に装着したスペーサの外面と凹部内面との間に隙間が生じ、支柱の凹部への挿入が容易となる。また、スペーサは開放端側に向かうにつれ筒状壁部の肉厚を厚く形成しているので、支柱の先端部が凹部内に挿入されるにつれスペーサを介した支柱と凹部内面との嵌合が強くなり、支柱とコーナブラケットとの結合強度が向上する。
【００１７】
また、第４の発明によれば、第３の発明の効果に加え次の効果を奏することができる。スペーサの筒状壁部の開放端側の肉厚が、凹部の開放端側における内面と支柱の外表面との間隙より大きく形成されているので、支柱を凹部に挿入した状態において、スペーサの筒状壁部が厚み方向に圧縮される。この結果、スペーサを介した支柱と凹部との嵌合による摩擦力がさらに大きくなり、支柱とコーナブラケットとの結合強度をさらに大きくすることができる。
【００１８】
また、第５の発明によれば、第１〜第４の何れかの発明の効果に加え次の効果を奏することができる。スペーサの筒状壁部に開放端側から底部に向かう複数のスリットを備えているので、スペーサの開放端側を容易に押し開くことができ、支柱にスペーサを容易に装着することができる。また、支柱の先端部を凹部内に挿入したときにスペーサを支柱の外表面と凹部の内面との間で容易に変形させることができる。したがって、スペーサを介した支柱と凹部との嵌合をより強くすることができ、支柱とコーナブラケットとの結合強度を向上させることができる。
【００１９】
また、第６の発明によれば、第５の発明の効果に加え、次の効果を奏することができる。前記スリットが筒状壁部の高さの半分以上の長さを有するので、支柱にスペーサを装着する作業がより一層容易になる。また、支柱の外表面と凹部の内面との間でスペーサの変形をより一層容易にすることができ、スペーサを介した支柱と凹部との嵌合をさらに強くすることができ、支柱とコーナブラケットとの結合強度をより一層向上させることができる。
【００２０】
また、第７の発明によれば、第１〜第６の何れかの発明の効果に加え、次の効果を奏することができる。コーナブラケットは鋳物製とされ、前記凹部の内面のテーパは鋳物製造に必要な鋳型抜き勾配を兼用する構成とされているので、鋳型抜き勾配を有効に活用して製造することができる。
【発明を実施するための最良の形態】
【００２１】
以下に、本発明を具体化した実施の形態に係る空気調和機の室外機用設置台を図面に基づいて説明する。本実施の形態に係る空気調和機の室外機用設置台は、前述の従来の室外機用設置台と同様に、段別に順次組み立てる組立式の構造を備えている。
【００２２】
この組立式の室外機用設置台の全体構成を図１及び２に示す。図１は本実施の形態に係る空気調和機の室外機用設置台の斜視図であり、図２は同室外機用設置台の一部分解斜視図である。これら図に示すように、本実施の形態に係る空気調和機の室外機用設置台は、空気調和機の室外機を載置するための水平部材１と、水平部材１を支持するための支柱２と、水平部材１及び支柱２を連結して構造体を形成するための下段側のコーナブラケット３及び上段側のコーナブラケット４とを備えている。また、支柱２は上段側及び下段側コーナブラケット３、４の凹部３１、４１に挿入されて各コーナに立設されているが、支柱２の外表面と凹部３１、４１の内表面との間隙にはスペーサ５が嵌め込まれている。
【００２３】
水平部材１は、上段側のものも下段側のものも同一である。また、これら水平部材１は、コーナブラケット３、４の側面側に結合される長辺水平材１１及び短辺水平材１２を備えている。また、水平部材１は、長辺水平材１１間に橋架された取付材１３を備えている。長辺水平材１１及び短辺水平材１２は、アルミ製であって押出成形により筒状に成形されている。そして、下段の水平部材１においては、長辺水平材１１及び短辺水平材１２は、下段側のコーナブラケット３の側面に突出する結合部材３５、３６（図４〜図６参照）が端面から挿入され、係止爪３７、３８が長辺水平材１１及び短辺水平材１２の側面に形成された係合孔１６、１７（図１参照）に係合することにより結合されている。また、上段の水平部材１においては、長辺水平材１１及び短辺水平材１２は、上段側のコーナブラケット４の側面に突出する結合部材４５、４６（図８参照）が端面から挿入され、係止爪４７、４８が長辺水平材１１及び短辺水平材１２の側面に形成された係合孔１６、１７（図１参照）に係合することにより結合されている。一方、取付材１３は、図１に示すように前述の従来のものと同一の構造を備えたものであって、断面コの字状の開放両端部を互いに対向するように折り曲げて断面Ｃ字状に形成され、この開放両端部が隙間を挟んで対向している。そして、この隙間をレール１４として形成している。また、レール１４には、従来のものと同様に、一端がレール面側に係合し、他端側に室外機を固定するためのボルト部を有する固定部材１５が取り付けられている。固定部材１５は、このレール１４上をスライドさせることにより、室外機の底面に形成された取付部の間隔と同一となるように調整される。
【００２４】
支柱２は、図１０（支柱２の上下端部に後述するスペーサ５を被せた状態の平面図）及び図１１（同状態における支柱２の正面図）から分かるように、従来のものとは少し形状が異なるが、略１／４円形状の水平断面を備えている。
【００２５】
次に、下段側のコーナブラケット３を図３〜図７に基づき説明する。図３は図１における下段右手後側のコーナブラケット周りの組立断面図であり、図４は同コーナブラケットの平面図であり、図５は同コーナブラケットの正面図であり、図６は同コーナブラケットの底面図であり、図７は図４におけるＡ−Ａ断面図である。下段側のコーナブラケット３は、本室外機用設置台では下段において各コーナに存在するが、下段側のコーナブラケットはそれぞれは向きを変えて使用することで共通的に使用可能に構成されている。ここでは、下段用の右手後側に位置するものを例に取り説明する。
【００２６】
コーナブラケット３は、図４〜図７に示すように、下面側に支柱２の下端部を挿入して差し込み式に結合させるための凹部３１が形成されている。この凹部３１の水平断面形状は、支柱２の水平断面形状に相似する形状であって、支柱２の断面よりやや大きく形成されている。さらに、コーナブラケット３は、下面側にも凹部３２が形成されている。また、下段側のコーナブラケット３は、アルミ、亜鉛などの材料からなる鋳造物であって、各凹部３１、３２の内面３１ａ、３２ａが鋳型抜き勾配を兼ねて開口端側に向けて断面積が拡大するテーパ面に形成されている。そして、中央部の中間よりやや下方位置に仕切壁３３が形成され、この仕切壁３３が両凹部３１、３２の底壁を構成している。このように、凹部３１より凹部３２の方が浅く形成されている。また、仕切壁３３の中央部にはアジャスター（脚部）７のねじ部７１を螺合させるためのねじ孔３４ａを備えたボス３４が形成されている。また、コーナブラケット３は、図４〜図６に示すように、直交する２側面に長辺水平材１１又は短辺水平材１２を取り付けるための結合部材３５、３６を突出させている。この結合部材３５、３６はそれぞれ一対の突出部材から形成されているが、一方の突出部材には前述の係止爪３７、３８が形成されている。下段側コーナブラケット３におけるアジャスター７の取り付けは次のように行われる。図３に示すように、下方からアジャスター７のねじ部７１をボス３４のねじ孔３４ａに対し接地面状況に合わせた長さを螺合し、その後にボス３４の下面までロックナット７２を締め付けることにより固定される。
【００２７】
上段側のコーナブラケット４は、図８及び図９に示すように、上面側に支柱２の上端部を挿入して差し込み式に結合させるための凹部４１が形成されている。この凹部４１の水平断面形状は、下段側のコーナブラケット３における凹部３１と同一の形状である。また、上段側のコーナブラケット４の上面側には水平断面が凹部４１と略同一で、深さが凹部４１より浅い凹部４２が形成されている。そして、凹部４２の上部にはキャップ６が取り付けられている。このキャップ６は、凹部４２を閉蓋するためのものであって、蓋部６１と挿入壁部６２とから構成されている。なお、凹部４１と凹部４２との間隙には仕切壁４３が形成されている。また、コーナブラケット４には、図８に示すように下段側のコーナブラケット３と同様、直交する２側面に長辺水平材１１又は短辺水平材１２を取り付けるための結合部材４５、４６を突出させている。この結合部材４５、４６はそれぞれ一対の突出部材から形成され、一方の突出部材には前述の係止爪４７、４８が形成されている。
【００２８】
次に、図１２〜図１５に基づき、樹脂製スペーサ５について詳細に説明する。なお、図１２は図１における下段右手後のコーナブラケット３内に用いられる状態でのスペーサの平面図であり、図１３は同スペーサの正面図であり、図１４は同スペーサの底面図であり、図１５は同スペーサの図１３におけるＢ−Ｂ断面図である。
【００２９】
スペーサ５は、各コーナブラケット３、４の凹部３１、４１に使用されるが、全て同一の形状であって、図１２〜１５に示されるように筒状壁部５１を有する。この筒状壁部５１は、凹部３１、４１と略同形に形成されている。すなわち、スペーサ５の断面形状の外形は、凹部３１、４１の断面形状の外形に略等しく、スペーサ５の深さは凹部３１、４１の深さと同程度に形成されている。
【００３０】
ただし、スペーサ５の外面５１ａは略垂直状に形成されており、筒状壁部５１の肉厚は、図１５の断面図に示すように開放端側に向かうに従い厚くなるように形成されている。したがって、内面５１ｂは凹部３１、４１の内面３１ａ、４１ａに形成されるテーパ面と逆方向のテーパ面に形成されている。また、筒状壁部５１の肉厚は、支柱２が凹部３１、４１内に挿入された図３、図９の状態における凹部３１、４１の開放端側の内面３１ａ、４１ａと支柱２の外表面との間隙より大きく形成されている。この結果、スペーサ５は、図３に示すような状態においては、略上半部において支柱２の外表面により凹部３１、４１の内面３１ａ、４１ａ側に押圧されて圧縮される。そして、これにより外面５１ａが凹部３１、４１の内面３１ａ、４１ａに沿うように変形される。
【００３１】
このように、スペーサ５は取り付け状態において変形するように設計されたものであって、このような変形を助ける手段として、筒状壁部５１には周方向に適宜の間隔を開けて５個所にスリット５２が形成されている。このスリット５２は、スペーサ５を支柱２の端部に装着するときに押し広げることを容易にするとともに、スペーサ５が支柱２の外表面と凹部３１、４１の内面３１ａ、４１ａとの間で圧縮される場合における材料の逃しとして機能する。したがって、スリット５２は、このような変形を考慮して上部開口端から底部に至るスペーサ５の高さの少なくとも半分以上の長さにするのが好ましい、なお、この実施の形態では、スリット５２は底部に近い位置までの長さに形成されている。スリット５２の位置は、筒状壁部５１が図１２に示すように複数の面Ｘ１〜Ｘ５の連続形状と考えられることから、各面での変形を容易にするために各面毎に１個形成されている。また、スペーサ５を構成する樹脂としては、ＡＢＳ樹脂のように変形容易であり、かつ、アルミ等の金属表面との間での滑りの良好なものが好ましい。
【００３２】
また、スペーサ５の底部には、支柱２をスペーサ５の中に挿入したときに支柱２の先端部がスペーサ５の底面から突出しないように規制壁５３が４箇所に設けられている。
なお、上記において、スリット５２の位置、長さ、幅は、スペーサ５の材料、形状、肉厚、必要強度などとの関係で適宜変更することができる。
【００３３】
上記の構成による空気調和機の室外機用設置台は、前述の従来のものと同様の手順で組み立てられる。すなわち、下段のコーナブラケット３に対しアジャスター７と下段の水平部材１とを取り付けて下段の載置台を構成して室外機を載置する。次いで、下段のコーナブラケット３の上面部の凹部３１に支柱２の端部を挿入して、支柱２を立設する。そして、支柱２の上端部に上段側コーナブラケット４を取り付け、このコーナブラケット４に対し水平部材１を取り付けて上段側の水平部材１を形成して、室外機を載置している。
【００３４】
このような組立手順において、本発明では、支柱２はコーナブラケット３に対し次のように結合される。
ます、支柱２の先端部にスペーサ５を嵌め込んで装着する。このとき、スペーサ５は開放側端部から底部に向かう複数のスリット５２が適宜の間隔で形成されているので、容易にスペーサ５を支柱２の端部に装着することができる。また、スペーサ５を装着するときに支柱２がスペーサ５の底面から突出するのを防止する規制壁５３が形成されているので、スペーサ５が支柱２の先端部に確実に取り付けられる。このようにして図１０及び図１１に示したように支柱２の先端部にスペーサ５が装着された状態が形成される。
【００３５】
なお、この装着状態において、スペーサ５の内面５１ｂは支柱２の外表面に沿う形状に変形され、スペーサ５の外面５１ａは、筒状壁部５１の肉厚が開放端側に向かうに従い厚くなるように形成されていることから、支柱２の中心側に行くに従い外周方向に張り出すようなテーパ面に変形される。また、スペーサ５の開放端側の肉厚が、凹部３１、４１の開放端側における内面３１ａ、４１ａと支柱２の外表面との間隙より大きく形成されているため、この装着状態におけるスペーサ５の開放端側の外形寸法は凹部３１、４１の開放端側の開口寸法より若干大きくなっている。しかし、スペーサ５の底部の外形寸法は凹部３１、４１の開放端側の開口寸法より小さくなっている。
【００３６】
次に、このように端部にスペーサ５を装着した支柱２を図２に示すようにコーナブラケット３、４の凹部３１、４１に挿入する。この挿入時において、スペーサ５を装着した支柱２の先端部はスペーサ５の開放端側の開口寸法より小さいので、挿入はスムースに行われる。また、支柱２を凹部３１、４１内に深く挿入するに従いスペーサ５は凹部３１、４１の内面３１ａ、４１ａにより押圧され、支柱２と凹部３１、４１との間隙を埋めるように変形される。この結果、スペーサ５を介する支柱２と凹部３１、４１の内面３１ａ、４１ａとの嵌合が強くなり、支柱２とコーナブラケット３、４との結合が強力に行われる。
【００３７】
本発明は以上のように構成されているので、次のような効果を奏することができる。
（１）  本実施の形態に係る空気調和機の室外機用設置台によれば、支柱２の先端部がコーナブラケット３、４の凹部３１、４１に挿入されたときに、樹脂製スペーサ５の筒状壁部５１により支柱２の外表面と凹部３１、４１の内面３１ａ、４１ａとの間隙が埋められるので、従来の金属等の硬い部品同士の接触の場合よりも挿入が容易である。また、スペーサ５を介した支柱２と凹部３１、４１との嵌合による摩擦力が大きくなり、支柱２とコーナブラケット３、４との結合強度を大きくすることができる。
【００３８】
（２）  また、スペーサ５は、支柱２の先端部がスペーサ５の底面から突出しないようにするための規制壁５３を底部に備えているので、支柱２の先端にスペーサ５を装着した状態で支柱２の先端部をコーナブラケット３、４の凹部３１、４１内に挿入することができ、支柱２とコーナブラケット３、４との結合作業が極めて容易になる。すなわち、コーナブラケット３、４の凹部３１、４１内にスペーサ５を置いた状態で支柱２を凹部３１、４１内に挿入しようとすると、支柱２の外周とスペーサ５の内周との隙間がなく挿入が困難になる、また、支柱２の先端部にスペーサ５を装着した状態で凹部３１、４１内に支柱の先端部を挿入する場合において、規制壁５３が無い場合は、スペーサ５が支柱２の中央部側にスライドして支柱２と凹部３１、４１の内面３１ａ、４１ａとの間隙にうまく収まらないという問題が生ずる。これに対し、上記のようにスペーサ５の底部に規制壁５３を設けておくと、スペーサ５が支柱２の中央側にスライドする恐れが無くなるので、支柱２の先端部にスペーサ５を装着した状態でスムースに凹部３１、４１内に支柱２の先端部を挿入し、固定することができる。
【００３９】
（３）  また、コーナブラケット３、４の凹部３１、４１は、支柱２の水平断面形状における外形形状に対応する水平断面形状の内面３１ａ、４１ａを有するとともに、この水平断面形状が開放端側に向かって拡大するように内面３１ａ、４１ａがテーパ状に形成されているので、支柱２の先端部を凹部３１、４１に挿入する際、支柱２の先端部に装着したスペーサ５の外面５１ａと凹部３１、４１の内面３１ａ、４１ａとの間に隙間が生じ、支柱２の凹部３１、４１への挿入が容易となる。また、スペーサ５は開放端側に向かうにつれ筒状壁部５１の肉厚を厚く形成しているので、支柱２の先端部が凹部３１、４１内に挿入されるにつれスペーサ５を介した支柱２と凹部３１、４１内面との嵌合が強くなり、支柱２とコーナブラケット３、４との結合強度が向上する。
【００４０】
（４）  また、スペーサ５の筒状壁部５１の開放端側の肉厚が、凹部３１、４１の開放端側における内面３１ａ、４１ａと支柱２の外表面との間隙より大きく形成されているので、支柱２を凹部３１、４１に挿入した状態において、スペーサ５の筒状壁部５１が厚み方向に圧縮される。この結果、スペーサ５を介した支柱２と凹部３１、４１との嵌合による摩擦力がさらに大きくなり、支柱２とコーナブラケット３との結合強度をさらに大きくすることができる。
【００４１】
（５）  また、スペーサ５の筒状壁部５１に開放端側から底部に向かう複数のスリット５２を備えているので、スペーサ５の開放端側を容易に押し開くことができ、支柱２にスペーサ５を容易に装着することができる。また、支柱２の先端部を凹部３１、４１内に挿入したときにスペーサ５を支柱２の外表面と凹部３１、４１の内面３１ａ、４１ａとの間で容易に変形させることができる。したがって、スペーサ５を介した支柱２と凹部３１、４１との嵌合をより強くすることができ、支柱２とコーナブラケット３、４との結合強度を向上させることができる。
【００４２】
（６）  スペーサ５のスリット５２が筒状壁部５１の高さの半分以上の長さを有するので、支柱２にスペーサ５を装着する作業がより一層容易になる。また、支柱２の外表面と凹部３１、４１の内面３１ａ、４１ａとの間でスペーサ５の変形をより一層容易にすることができ、スペーサ５を介した支柱２と凹部３１、４１との嵌合をさらに強くすることができ、支柱２とコーナブラケット３、４との結合強度をより一層向上させることができる。
【００４３】
（７）  コーナブラケット３、４は鋳物製とされ、凹部３１、４１の内面３１ａ、４１ａのテーパは鋳物製造に必要な鋳型抜き勾配を兼用する構成とされているので、鋳型抜き勾配を有効に活用して製造することができる。
【００４４】
本発明に係る空気調和機の室外機用設置台は、上記構成のような２段置きの設置台に限定されるものではなく、３段以上の多段積みの設置台にも適用することができる。なお、この場合には、中間段のコーナブラケットとして、上面側及び下面側に支柱２を差し込むための凹部３１、４１を形成した上下対称的なコーナブラケットを用いれば同様に組立することができる。
【図面の簡単な説明】
【００４５】
【図１】本発明の実施の形態に係る空気調和機の室外機用設置台の全体構成を示す正面側から見た斜視図である。
【図２】同室外機用設置台の一部分解斜視図である。
【図３】図１における下段右手後側のコーナブラケット周りの組立断面図である。
【図４】同コーナブラケットの平面図である。
【図５】同コーナブラケットの正面図である。
【図６】同コーナブラケットの底面図である。
【図７】図４におけるＡ−Ａ断面図である。
【図８】図１における上段右手後側のコーナブラケットの底面図である。
【図９】同コーナブラケット周りの組立断面図である。
【図１０】本発明の実施の形態に係る空気調和機の室外機用設置台における支柱の平面図であって、端部にスペーサを装着した状態で示す。
【図１１】図１０に示した支柱の正面図である。
【図１２】図１における下段右手後のコーナブラケット内に用いられる状態でのスペーサの平面図である。
【図１３】同スペーサの正面図である。
【図１４】同スペーサの底面図である。
【図１５】同スペーサの図１１におけるＢ−Ｂ断面図である。
【図１６】従来の段別に組立可能な組立式の室外機用設置台の全体構成を示した分解斜視図である。
【図１７】同室外機用設置台の組立手順において下段の水平部材を構成した状態を示す斜視図である。
【図１８】同室外機用設置台の組立手順において下段の水平部材上に室外機を設置した状態を示す斜視図である。
【図１９】同室外機用設置台の組立手順において支柱を立設した状態を示す斜視図である。
【図２０】同室外機用設置台の組立手順において上段の水平部材を構成した状態を示す斜視図である。
【図２１】同室外機用設置台の組立手順において上段の水平部材上に室外機を設置した状態を示す斜視図である。
【符号の説明】
【００４６】
１  水平部材
２  支柱
３  （下段側の）コーナブラケット
４  （上段側の）コーナブラケット
５  スペーサ
３１、４１  凹部
３１ａ、４１ａ  内面
５１  筒状壁部
５１ａ  外面
５１ｂ  内面
５２  スリット
５３  規制壁
【図１】
2006118771.tif 000003
【図２】
2006118771.tif 000004
【図３】
2006118771.tif 000005
【図４】
2006118771.tif 000006
【図５】
2006118771.tif 000007
【図６】
2006118771.tif 000008
【図７】
2006118771.tif 000009
【図８】
2006118771.tif 000010
【図９】
2006118771.tif 000011
【図１０】
2006118771.tif 000012
【図１１】
2006118771.tif 000013
【図１２】
2006118771.tif 000014
【図１３】
2006118771.tif 000015
【図１４】
2006118771.tif 000016
【図１５】
2006118771.tif 000017
【図１６】
2006118771.tif 000018
【図１７】
2006118771.tif 000019
【図１８】
2006118771.tif 000020
【図１９】
2006118771.tif 000021
【図２０】
2006118771.tif 000022
【図２１】
2006118771.tif 000023